(57)【要約】【課題】パワー素子の冷却性を確保しつつ駆動回路部の体格を小型化することが可能な電動圧縮機を提供すること。【解決手段】駆動回路部であるインバータ回路２０は、モータ部１０へ供給する供給電力を制御するパワー素子２１４を絶縁基材２１１中に内蔵した第１基板２１を備えており、第１基板２１は、ハウジング１の取付面１ｃに取り付けられ、ハウジング１内を流通する吸入冷媒で冷却されるようになっている。【選択図】図４
2011214432.tif 000002
【特許請求の範囲】
【請求項１】
冷媒を吸入圧縮する圧縮機構と、
前記圧縮機構を駆動する電動式のモータと、
前記モータを駆動する駆動回路部と、
前記圧縮機構および前記モータを収納するとともに、内部を前記圧縮機構が吸入する吸入冷媒が流通するハウジングと、を備え、
前記駆動回路部は、絶縁基材と、前記絶縁基材中に内蔵され前記モータへ供給する供給電力を制御するパワー素子と、を有する回路基板を具備しており、
前記回路基板は、前記ハウジングの外面のうち内部を前記吸入冷媒が流通する部位に形成された取付面に取り付けられていることを特徴とする電動圧縮機。
【請求項２】
前記回路基板は、前記パワー素子よりも前記取付面側となる部位において前記絶縁基材中に配設され、前記パワー素子の熱を前記ハウジングへ伝える伝熱部材を具備することを特徴とする請求項１に記載の電動圧縮機。
【請求項３】
前記伝熱部材は前記パワー素子と電気的に接続されて、前記伝熱部材には前記供給電力を出力する出力部が形成されており、前記モータから延び前記ハウジングを貫通する貫通端子に前記出力部が直接接続していることを特徴とする請求項２に記載の電動圧縮機。
【請求項４】
前記絶縁基材は、前記パワー素子に接する部分の少なくとも一部が熱可塑性樹脂からなることを特徴とする請求項１ないし請求項３のいずれか１つに記載の電動圧縮機。
【請求項５】
前記回路基板と前記取付面との間に介設され、前記回路基板と前記ハウジングとを電気的に絶縁する絶縁シート部材を具備することを特徴とする請求項１ないし請求項４のいずれか１つに記載の電動圧縮機。
【請求項６】
前記回路基板を覆うカバー部材と、
前記回路基板と前記取付面との間に介設され、前記回路基板の熱を前記ハウジングへ伝えて放熱する放熱プレート部材と、を具備し、
前記カバー部材と前記放熱プレート部材とが締結されて、前記回路基板、前記カバー部材、および前記放熱プレート部材が一体に組み付けられた組付体をなしており、前記組付体が前記ハウジングに装着されていることを特徴とする請求項１ないし請求項５のいずれか１つに記載の電動圧縮機。
【請求項７】
前記駆動回路部は、前記回路基板をなす第１基板と、絶縁基材中に回路素子が内蔵されていない第２基板とを備え、前記第１基板と前記第２基板とが電気的に接続されていることを特徴とする請求項１ないし請求項６のいずれか１つに記載の電動圧縮機。
【請求項８】
前記第１基板と前記第２基板とが、前記ハウジングの外面に沿って並設されていることを特徴とする請求項７に記載の電動圧縮機。
【発明の詳細な説明】
【技術分野】
【０００１】
本発明は、冷媒を圧縮する圧縮機構、圧縮機構を駆動する電動モータ、および電動モータを駆動するインバータ回路等のモータ駆動回路を有する電動圧縮機に関する。
【背景技術】
【０００２】
従来から、冷媒を吸入圧縮する圧縮機構と、圧縮機構を駆動する電動式のモータと、モータを駆動する駆動回路部と、を備える電動圧縮機がある。そして、駆動時に発熱量が多い駆動回路部のパワー素子を冷却するために、パワー素子の本体部をベースプレートを介してハウジングの外周面に密着させ、パワー素子の本体部から反ハウジング方向へ突出したパワー素子の端子と電気的に接続する駆動回路部の回路基板をハウジングから離設させて、パワー素子と回路基板とが異なる層に位置するように配置し、駆動回路部を複数層構造とした電動圧縮機が知られている（例えば、特許文献１参照。）。
【先行技術文献】
【特許文献】
【０００３】
【特許文献１】特開２００４−１９０５４７号公報
【発明の概要】
【発明が解決しようとする課題】
【０００４】
しかしながら、上記従来技術の電動圧縮機では、パワー素子を冷却するために、パワー素子と回路基板とを異なる層に位置するように配設して、駆動回路部を複数層構造とすると、各層間に絶縁空間を必要とするため、駆動回路部の体格が大型化するという問題がある。
【０００５】
本発明は、上記点に鑑みてなされたものであり、パワー素子の冷却性を確保しつつ駆動回路部の体格を小型化することが可能な電動圧縮機を提供することを目的とする。
【課題を解決するための手段】
【０００６】
上記目的を達成するため、請求項１に記載の発明では、
冷媒を吸入圧縮する圧縮機構と、
圧縮機構を駆動する電動式のモータと、
モータを駆動する駆動回路部と、
圧縮機構およびモータを収納するとともに、内部を圧縮機構が吸入する吸入冷媒が流通するハウジングと、を備え、
駆動回路部は、絶縁基材と、絶縁基材中に内蔵されモータへ供給する供給電力を制御するパワー素子と、を有する回路基板を具備しており、
回路基板は、ハウジングの外面のうち内部を吸入冷媒が流通する部位に形成された取付面に取り付けられていることを特徴としている。
【０００７】
これによると、ハウジングの取付面に取り付けられた、絶縁基材の内部にパワー素子を内蔵した回路基板を、ハウジング内部を流通する吸入冷媒で冷却することができる。したがって、パワー素子を回路基板とは異なる層に配設して冷却する必要がない。このようにして、パワー素子の冷却性を確保しつつ駆動回路部の体格を小型化することができる。
【０００８】
また、請求項２に記載の発明では、回路基板は、パワー素子よりも取付面側となる部位において絶縁基材中に配設され、パワー素子の熱をハウジングへ伝える伝熱部材を具備することを特徴としている。これによると、パワー素子が発する熱を伝熱部材を介してハウジングに伝達し易く、パワー素子の冷却性を向上することができる。
【０００９】
また、請求項３に記載の発明では、伝熱部材はパワー素子と電気的に接続されて、伝熱部材にはモータへの供給電力を出力する出力部が形成されており、出力部がモータから延びハウジングを貫通する貫通端子に直接接続していることを特徴としている。これによると、モータへの供給電流は、回路基板においてパワー素子よりもハウジング側に位置する伝熱部材を介して、伝熱部材に直接接続する貫通端子へ流れる。したがって、比較的大電流であるモータへの供給電流の導通経路をコンパクトにすることができ、駆動回路部の体格を一層小型化することができる。
【００１０】
また、請求項４に記載の発明では、回路基板の絶縁基材は、パワー素子に接する部分の少なくとも一部が熱可塑性樹脂からなることを特徴としている。これによると、回路基板を製造する際に、加熱プレスによりパワー素子を容易に絶縁基材中に内蔵して、パワー素子内蔵回路基板を形成することができる。
【００１１】
また、請求項５に記載の発明では、回路基板とハウジングの取付面との間に介設され、回路基板とハウジングとを電気的に絶縁する絶縁シート部材を具備することを特徴としている。これによると、回路基板のハウジング側の面に導体が露出していたとしても、ハウジングとの短絡を防止することができる。
【００１２】
また、請求項６に記載の発明では、回路基板を覆うカバー部材と、回路基板とハウジングの取付面との間に介設され、回路基板の熱をハウジングへ伝えて放熱する放熱プレート部材と、を具備し、カバー部材と放熱プレート部材とが締結されて、回路基板、カバー部材、および放熱プレート部材が一体に組み付けられた組付体をなしており、この組付体がハウジングに装着されていることを特徴としている。これによると、電動圧縮機を製造する際には、回路基板、カバー部材、および放熱プレート部材を一体に組み付けた組付体をハウジングに装着して、回路基板、カバー部材、および放熱プレート部材を一括してハウジングに組み付けることができる。
【００１３】
また、請求項７に記載の発明では、駆動回路部は、回路基板をなす第１基板と、絶縁基材中に回路素子が内蔵されていない第２基板とを備え、第１基板と第２基板とが電気的に接続されていることを特徴としている。これによると、パワー素子が絶縁基材中に内蔵された素子内蔵基板である第１基板と、絶縁基材中に回路素子が内蔵されていない非素子内蔵基板である第２基板とを電気的に接続して、駆動回路部を構成することができる。したがって、駆動回路部を構成する基板の一部を比較的安価な非素子内蔵基板である第２基板として、駆動回路部を比較的安価に構成することができる。
【００１４】
また、請求項８に記載の発明では、第１基板と第２基板とが、ハウジングの外面に沿って並設されていることを特徴としている。これによると、駆動回路部の基板を第１基板と第２基板とで構成しても、駆動回路部のハウジングの外面からの高さを抑制することができる。
【図面の簡単な説明】
【００１５】
【図１】本発明を適用した一実施形態における電動圧縮機の外形を正面図である。
【図２】図１中Ａ−Ａ線断面図である。
【図３】電動圧縮機の内部構造を示す断面図である。
【図４】駆動回路部であるインバータ回路２０の配設部位の概略構成を示す断面図である。
【図５】インバータ回路２０の要部を拡大した断面図である。
【図６】他の実施形態におけるインバータ回路の要部を拡大した断面図である。
【図７】他の実施形態におけるインバータ回路の要部を拡大した断面図である。
【図８】他の実施形態におけるインバータ回路の要部を拡大した断面図である。
【図９】他の実施形態におけるインバータ回路の要部を拡大した断面図である。
【図１０】他の実施形態におけるインバータ回路２０の配設部位の概略構成を示す断面図である。
【図１１】他の実施形態におけるインバータ回路２０の配設部位の概略構成を示す断面図である。
【図１２】他の実施形態におけるインバータ回路２０の配設部位の概略構成を示す断面図である。
【発明を実施するための形態】
【００１６】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した形態と同様とする。実施の各形態で具体的に説明している部分の組合せばかりではなく、特に組合せに支障が生じなければ、実施の形態同士を部分的に組み合せることも可能である。
【００１７】
図１は、本発明を適用した一実施形態における電動圧縮機の外形を正面図である。図２は、図１中Ａ−Ａ線断面図であり、図３は、電動圧縮機の内部構造を示す断面図である。
【００１８】
図１に示す電動圧縮機１００は、例えば、自動車のエンジンルーム内に配置されている。電動圧縮機１００は、凝縮器、減圧器、および蒸発器とともに、車両空調装置用の冷凍サイクル装置を構成している。電動圧縮機１００はハウジング１を備えている。
【００１９】
ハウジング１は、伝熱性の高いアルミニウム材もしくはアルミニウム合金材等の金属からなるもので、略円筒状に形成されている。ハウジング１には、冷媒吸入口１ａおよび冷媒吐出口１ｂが設けられている。
【００２０】
冷媒吸入口１ａは、ハウジング１において軸線方向一方側に配置されている。冷媒吸入口１ａには、蒸発器の冷媒出口からの冷媒が流入する。冷媒吐出口１ｂはハウジング１において軸線方向他方側に配置されている。冷媒吐出口１ｂは、凝縮器の冷媒入口に向けて冷媒を吐出する。
【００２１】
ハウジング１の上側には脚部２が設けられている。ハウジング１の下側には脚部３、４が設けられている。脚部２、３、４には、それぞれ、ボルト５を貫通させる貫通孔が設けられている。各ボルト５は、脚部２、３、４の貫通孔に貫通した状態で、ハウジング１をエンジンの側壁に固定する。
【００２２】
電動圧縮機１００は、図２および図３に示すように、モータ部１０（モータに相当）、インバータ回路２０（駆動回路部に相当）、圧縮機構３０、およびインバータカバー４０（カバー部材に相当）等から構成されている。
【００２３】
モータ部１０は、三相同期モータであって、回転軸１２、ロータ１３、ステータコア１４、およびステータコイル１５から構成されている。
【００２４】
回転軸１２は、ハウジング１内に配置されている。回転軸１２はその軸線方向がハウジング１の軸線方向に一致している。回転軸１２は、軸受け１２ａ、１２ｂにより回転自在に支持されている。回転軸１２は、ロータ１３から受ける回転駆動力を圧縮機構３０に伝える。軸受け１２ａ、１２ｂは、ハウジング１により支持されている。
【００２５】
ロータ１３は、例えば永久磁石が埋め込まれたもので、筒状に形成されているものであって、回転軸１２に対して固定されている。ロータ１３は、ステータコア１４から発生される回転磁界に基づいて、回転軸１２とともに回転する。
【００２６】
ステータコア１４は、ハウジング１内においてロータ１３（回転軸１２）に対して径方向外周側に配置されている。ステータコア１４は、その軸線方向が回転軸１２の軸線方向に一致する筒状に形成されている。ステータコア１４は、ロータ１３との間に隙間を形成している。隙間は、回転軸１２の軸線方向に並行に冷媒を流す冷媒流路１７を構成している。
【００２７】
ステータコア１４は、磁性体からなるもので、ハウジング１の内周面から支持されている。ステータコイル１５は、ステータコア１４に対して回巻されている。ステータコイル１５は後述するように回転磁界を発生する。
【００２８】
圧縮機構３０は、モータ部１０に対して軸線方向他方側に配置されている。圧縮機構３０は、固定スクロールと可動スクロールとから構成されるスクロール型コンプレッサであって、モータ部１０の回転軸１２からの回転駆動力によって可動スクロールを旋回させて冷媒を吸入、圧縮、吐出する。
【００２９】
インバータ回路２０は、ハウジング１の取付面１ｃに装着されている。取付面１ｃは、ハウジング１の外周部（すなわち、回転軸１２の径方向外周側）に形成されている。本実施形態では、取付面１ｃは、ハウジング１の外周部の上側に位置する。
【００３０】
インバータ回路２０は、半導体素子等からなり、モータ部１０を駆動する三相電圧を発生する駆動回路を構成している。インバータカバー４０は、インバータ回路２０を覆うように形成されている。インバータカバー４０は、ハウジング１にネジ（図示省略）により締結されている。
【００３１】
ステータコア１４の外周壁には、図２に示すように、凹部１４ａ、１４ｂ、１４ｃ、１４ｄが設けられている。凹部１４ａは、回転軸１２の径方向中心側に凹んで、かつステータコア１４に対して軸線方向に並行に延びるように形成されている。同様に、凹部１４ｂ、１４ｃ、１４ｄは、回転軸１２の径方向中心側に凹んで、かつステータコア１４に対して軸線方向に並行に延びるように形成されている。
【００３２】
凹部１４ａ、１４ｂ、１４ｃ、１４ｄは、回転軸１２を中心とする円周方向に同一間隔でずれるように配置されている。凹部１４ａは、インバータ回路２０側に配置されている。凹部１４ａは、ハウジング１の内周面との間に第１の冷媒流路６０を構成する。凹部１４ｂ、１４ｃ、１４ｄは、それぞれ、ハウジング１の内周面との間に第２の冷媒流路６１、６２、６３を構成する。
【００３３】
ここで、凹部１４ａにおいてインバータ回路２０側には（凹部１４ａの内面には）、断熱膜８０が設けられている。図２には模式的に所定の厚みを有する断熱膜８０が示されているが、実際には、断熱膜８０としては、薄膜状に形成されているものが用いられる。
【００３４】
断熱膜８０は、凹部１４ａの底部１４０および側部１４１ａ、１４１ｂを覆うように形成されている。すなわち、断熱膜８０は、軸線方向から視て略断面コ字状に形成されている。断熱膜８０は、冷媒とステータコア１４との間の熱伝達を妨げる。
【００３５】
断熱膜８０は、冷媒や潤滑油（圧縮機油）に対する耐性が強く、かつ高温度高圧に耐え得る材料が用いられ、例えば、ビスマス（金属系）、セラミックス（無機高分子）、ポリイミド（有機無機高分子）などを用いることができる。断熱膜８０としては、特に、耐熱性に優れたポリイミドを用いることが好ましい。
【００３６】
上述した構成の電動圧縮機１００の作動について簡単に説明する。まず、インバータ回路２０が電源投入されて、モータ部１０のステータコイル１５に対して三相の駆動電流を流す。これに伴って、ステータコア１４から回転磁界が発生するため、ロータ１３に対して回転力が発生する。すると、ロータ１３が回転軸１２とともに回転する。したがって、圧縮機構３０は、回転軸１２からの回転駆動力によって旋回して冷媒を吸入する。
【００３７】
このとき、蒸発器側からの吸入冷媒は、ハウジング１の冷媒吸入口１ａ側内に流入する。すると、この吸入冷媒は、冷媒流路１７、６０、６１、６２、６３を通過して圧縮機構３０側に流れる。吸入冷媒は、圧縮機構３０で圧縮され、冷媒吐出口１ｂから凝縮器側に吐出される。
【００３８】
一方、インバータ回路２０は、その作動に伴って熱を発生する。この熱がハウジング１の肉部１ｎ（図２、図３参照）を通して冷媒流路６０内の冷媒に伝わる。
【００３９】
このとき、ステータコイル１５は、三相の駆動電流の通電に伴って熱を発生するものの、断熱膜８０により冷媒流路６０内の冷媒とステータコア１４との間の熱伝達を妨げる。したがって、冷媒流路６０内の冷媒によりインバータ回路２０を冷却することになる。
【００４０】
また、ステータコイル１５から発生した熱は、ステータコア１４を通して冷媒流路１７、６１〜６３内の冷媒に伝わる。これにより、ステータコア１４、およびステータコイル１５を冷媒流路１７、６１〜６３内の冷媒により冷却することができる。
【００４１】
次に、図４および図５に基づいて、モータを駆動する駆動回路部の構成について説明する。図４は、駆動回路部であるインバータ回路２０の配設部位の概略構成を示す断面図であり、図５は、要部を拡大した断面図である。
【００４２】
図４に示すように、インバータ回路２０は、ハウジング１の取付面１ｃに取り付けられてインバータカバー４０で覆われている。換言すれば、インバータ回路２０は、ハウジング１の取付面１ｃを底面部とし、インバータカバー４０が側面部および天井面部となるケーシング内に収容されている。インバータカバー４０とハウジング１との間にはシール部材４１が配設されており、インバータ回路２０の収容空間と外部空間とを遮断している。
【００４３】
インバータ回路２０は、第１基板２１と第２基板２２とを有し、第１基板２１と第２基板２２とはワイヤ２３等の電気的接続手段で接続されている。第１基板２１は、本発明の回路基板に相当し、パワー素子２１４等を内蔵している素子内蔵回路基板である。
【００４４】
一方、第２基板２２は、絶縁基材内に素子を内蔵していない非素子内蔵回路基板であり、例えばガラスエポキシ基板等の所謂汎用プリント基板からなり、絶縁基材の表面を含む絶縁基材の外部に回路素子の本体部が配設されるように各種素子等が実装されている。第２基板２２には、外部との接続端子を有するコネクタ２２１や電源フィルタ等の大型部品が実装されている。
【００４５】
第１基板２１および第２基板２２は、いずれも取付面１ｃに取り付けられ、取付面１ｃが延びる方向に並設されている。すなわち、第１基板２１と第２基板２２とは、ハウジング１の外面の延面方向において並設されている。第１基板２１および第２基板２２と、ハウジング１の取付面１ｃとの間には、全域に亘って絶縁放熱シート２４（絶縁シート部材に相当）が介設されている。絶縁放熱シート２４は、例えば樹脂材（例えばシリコーン樹脂）、ゴム材（例えばシリコーンゴム）、無機材（例えばマイカ）等のいずれかからなる。
【００４６】
図５に示すように、第１基板２１は、熱可塑性樹脂からなる絶縁基材２１１と、絶縁基材２１１の内部に配置されたパワー素子２１４と、絶縁基材２１１の内部や表面に配置された他の回路素子２１５（例えば、抵抗等の受動素子）等の電子部品と、絶縁基材２１１の内部や表面に形成され、パワー素子２１４や他の回路部品２１５と電気的に接続する配線部としての導体パターン２１２および層間接続ビア２１３とを備えている。
【００４７】
換言すれば、第１基板２１は、熱可塑性樹脂からなる絶縁基材２１１の表面および内部に導体パターン２１２が多層に配置され、異なる層の導体パターン２１２の一部が層間接続部である層間接続ビア２１３（例えば、導電性ペーストなどを採用することができる）によって電気的に層間接続されるとともに、絶縁基材２１１中に導体パターン２１２及び層間接続部２１３と電気的に接続されたパワー素子２１４等の電子部品が配置された多層基板である。
【００４８】
また、第１基板２１は、絶縁基材２１１内に埋め込まれた伝熱部材である例えば銅製で薄板状の放熱用チップ２１６を備えている。放熱用チップ２１６は、絶縁基材２１１内においてパワー素子２１４よりもハウジング１の取付面１ｃ側（図５図示下方側）となる部位に埋設されている。放熱用チップ２１６は、図示下面が絶縁基材２１１から露出しており、放熱用チップ２１６の下面と絶縁基材２１１の下面とは同一平面内にある。
【００４９】
第１基板２１の絶縁基材２１１は、例えば、熱可塑性の樹脂フィルム（基材フィルム）を複数枚積層して、相互に接着（溶着）して構成されている。なお、樹脂フィルムに用いる熱可塑性樹脂としては、例えば、ポリエーテルエーテルケトン（ＰＥＥＫ）、ポリエーテルイミド（ＰＥＩ）、及びポリエーテルエーテルケトンとポリエーテルイミドの混合材、或いは液晶ポリマーなどを採用することができる。
【００５０】
第１基板２１は、表面に配線部の一部として例えば金属箔からなる導体パターン２１２が形成されると共に、この導体パターン２１２を底部とするビアホール内に導電体（例えば、導電性ペースト）が埋め込まれた配線部の一部としての層間接続ビア２１３を有する熱可塑性の樹脂フィルム（基材フィルム）や、パワー素子２１４等の内蔵電子部品や放熱用チップ２１６等の内蔵部品の体格に応じた貫通孔を有する熱可塑性の樹脂フィルム（基材フィルム）などを複数層積層して、相互に接着（溶着）して構成されている。
【００５１】
なお、導体パターン２１２は、比較的大電流が流れる所謂パワー系（例えばモータ電流系統）では非パワー系（例えば信号伝達系統）よりも導体厚さを厚くすることが好ましい。パワー系の導体パターン２１２を非パワー系の導体パターン２１２と同一層に配置する場合には、パワー系の導体パターン２１２として例えば銅製の金属プレート部材を用いることができ、パワー系の導体パターン２１２を非パワー系の導体パターン２１２と異なる層に配置する場合には、パワー系の導体パターン２１２を非パワー系の導体パターン２１２よりも厚い金属箔もしくは金属プレート部材により形成することができる。
【００５２】
この第１基板２１は、以下のようにして製造することができる。上述のような複数枚の熱可塑性の樹脂フィルムを、内部にパワー素子２１４等を配置しつつ積層する。そして、この積層体を加熱しながら、積層方向における両側から加圧する。例えば、２５０〜３５０℃の雰囲気温度下で１〜１０ＭＰａの圧力で１０〜２０分間加圧する。このようにして、一括で熱圧着接合して第１基板２１を製造することができる。
【００５３】
なお、第１基板２１の絶縁基材２１１として、熱可塑性の樹脂フィルムを複数枚用いる例を説明したが、絶縁基材２１１は、少なくとも熱可塑性樹脂を含むものであればよく、例えば、熱可塑性樹脂を含む基材フィルムと、熱硬化性樹脂を含む基材フィルムとを相互に（例えば、交互に、あるいは、熱硬化性樹脂を含む基材フィルムが連続して積層されないように）積層してなるものを採用するようにしてもよい。この例では、熱可塑性樹脂を含む基材フィルムが接着剤層として機能する。
【００５４】
また、熱可塑性樹脂は、絶縁基材２１１に内蔵するパワー素子２１４等の内蔵素子の周囲に配設することが好ましい。内蔵素子に接する部分の少なくとも一部に熱可塑性樹脂を配置することが好ましく、内蔵素子を取り囲む全域（全面）に亘って熱可塑性樹脂を配置することがさらに好ましい。内蔵素子に接する部分に熱可塑性樹脂を配置すると、積層した複数枚の樹脂フィルムを加熱プレスして絶縁基材２１１を形成する際に、絶縁基材２１１中にパワー素子２１４等の内蔵素子を封止する（内蔵素子の外面の電気接続部を除く全域を絶縁基材に密着させる）ことが容易である。
【００５５】
図５から明らかなように、第１基板２１には、図示左方側端部近傍に、絶縁基材２１１を厚さ方向（図示上下方向）に貫通する貫通孔２１１ａが形成されている。
【００５６】
放熱用チップ２１６は、絶縁基材２１１の厚さ方向（図示上下方向）におけるパワー素子２１４の投影領域の一部もしくは全域を含むように配設され、図示左方側に大きく延設されている。そして、放熱用チップ２１６は、絶縁基材２１１の貫通孔２１１ａが形成された部分を含む領域にまで延設されている。放熱用チップ２１６には、絶縁基材２１１の貫通孔２１１ａに対応して、同軸上に貫通孔２１６ａが形成されている。
【００５７】
ハウジング１の取付面１ｃが形成されている部分には、図５では図示を省略したモータ部１０から延びハウジング１を貫通する貫通端子１６が突出しており、貫通端子１６のハウジング１外方に突出した部分は、絶縁基材２１１の貫通孔２１１ａ内に配設されている。貫通端子１６は、ハウジング１を貫通する部分において、ハウジング１との間が例えばガラス材により気密に封止された所謂ハーメチック端子である。
【００５８】
貫通端子１６は、半田付け等の電気的接合手段により、第１基板２１の放熱用チップ２１６に電気的に接続している。放熱用チップ２１６は、導体パターン２１２と接すること等により、パワー素子２１４と電気的に接続されており、放熱用チップ２１６の貫通端子１６との接続部分（放熱用チップ２１６の貫通孔２１６ａ部分）が、第１基板２１からモータ部１０へ供給電力を出力する出力部となっている。
【００５９】
なお、貫通端子１６は、放熱用チップ２１６のみと電気的に接続されていてもよいが、放熱用チップ２１６と同一電位にある導体パターン２１２等とも接続されていてもかまわない。
【００６０】
上述の構成によれば、駆動回路部であるインバータ回路２０は、モータ部１０へ供給する供給電力を制御するパワー素子２１４を絶縁基材２１１中に内蔵した第１基板２１を備えており、第１基板２１は、ハウジング１の取付面１ｃに取り付けられ、ハウジング１内を流通する吸入冷媒で冷却されるようになっている。したがって、パワー素子２１４の本体部を回路基板とは異なる層に配設してハウジングに押し付け冷却する必要がない。このようにして、パワー素子２１４の冷却性を確保しつつインバータ回路２０の体格を小型化することができる。
【００６１】
また、パワー素子の本体部を回路基板とは異なる層に配設してハウジングに押し付けパワー素子を冷却する場合には、回路基板の熱をハウジングに伝え難いが、本実施形態の構成によれば、第１基板２１および第２基板２２からハウジング１に放熱することが可能であり、放熱性を向上することができる。
【００６２】
また、パワー素子の本体部を回路基板とは異なる層に配設してハウジングに押し付けパワー素子を冷却する場合には、一般的に貫通端子と回路基板との電気的接続部にインナーコネクタが用いられる。
【００６３】
これは、以下のような理由による。貫通端子のハーメチックシール部にガラス材を用いると、貫通端子の構成材料として、線膨張係数がガラス材の線膨張係数と近似した材料を用いる必要がある。また、回路基板は空間絶縁を確保するためにハウジングとの空間距離を確保して例えばアルミニウム材からなる固定部材を介してハウジングに固定される。しかし、この固定部材は貫通端子よりも線膨張係数が大きく、貫通端子と回路基板との電気的接続部は上記空間距離のためにハーメチックシール部から大きく離れている。これにより、温度変化の大きい環境下で貫通端子と回路基板との電気的接続部において大きな応力が発生することを抑制するためにフローティング構造を有するコネクタが用いられる。
【００６４】
ところが、本実施形態の構成によれば、図４に示すように、第１基板２１を絶縁放熱シート２４を介してハウジング１の取付面１ｃに当接できるので、貫通端子１６のハーメチックシール部と第１基板２１との空間距離を低減することができる。これにより、温度変化の大きい環境下で貫通端子１６と第１基板２１との電気的接続部において大きな応力が発生することを抑制できるので、インナーコネクタを廃止することができる。
【００６５】
また、パワー素子２１４等を絶縁基材２１１中に内蔵して、例えばパワー素子２１４の上方（基板の厚さ方向）に他の回路素子を配置する所謂３次元配置が可能となるので、インバータ回路２０の配線長さを短くすることが可能である。これに伴い、配線インダクタンスを低減でき、パワー素子２１４のスイッチング動作時に発生するサージ電圧を低減してノイズの発生を抑制することができるとともに、損失を低減することができる。
【００６６】
また、第１基板２１は、パワー素子２１４よりも取付面１ｃ側となる部位において絶縁基材２１１中に放熱用チップ２１６を有している。したがって、パワー素子２１４が発する熱を放熱用チップ２１６を介してハウジング１に伝達し易く、パワー素子２１４の冷却性を向上することができる。
【００６７】
また、放熱用チップ２１６はパワー素子２１４と電気的に接続されており、放熱用チップ２１６と貫通端子１６とが直接接続している。したがって、比較的大電流であるモータ部１０への供給電流の導通経路をコンパクトにすることができ（幅広の導体パターン等を用いる必要がなく）、第１基板２１の体格を一層小型化することができる。なお、本実施形態では、放熱用チップ２１６に接する導体パターン２１２は、パワー系であっても非パワー系と同一厚さの金属箔を用いることができる。
【００６８】
また、第１基板２１の下面に露出した放熱用チップ２１６をパワー系の導通経路としているが、第１基板２１とハウジング１の取付面１ｃとの間には絶縁放熱シート２４が介装されているので、放熱用チップ２１６とハウジング１との間の短絡を防止することができる。
【００６９】
また、インバータ回路２０は、素子内蔵回路基板である第１基板２１と非素子内蔵回路基板である第１基板２２とを電気的に接続して構成している。したがって、インバータ回路２０を構成する基板の一部を比較的安価な非素子内蔵回路基板として、インバータ回路２０を比較的安価に構成することができる。
【００７０】
また、第１基板２１と第２基板２２とは、ハウジング１の取付面１ｃに沿って並設されている。したがって、インバータ回路２０の基板を第１基板２１と第２基板２２とで構成しても、インバータ回路２０のハウジング１の外面からの高さを抑制することができる。
【００７１】
（他の実施形態）
以上、本発明の好ましい実施形態について説明したが、本発明は上述した実施形態に何ら制限されることなく、本発明の主旨を逸脱しない範囲において種々変形して実施することが可能である。
【００７２】
上記実施形態では、モータ部１０から延びる貫通端子１６は、第１基板２１の貫通孔２１１ａ内に配設されて、出力部である放熱用チップ２１６の貫通孔２１６ａに接続していたが、これに限定するものではない。
【００７３】
例えば、図６および図７に示すように、第１基板２１に貫通孔を設けずに絶縁基材２１１の端面２１１ｂに沿うように貫通端子１６を配設して、放熱用チップ２１６の出力部に接続したものであってもよい。これによれば、第１基板２１のサイズを小さくすることができる。このとき、第１基板２１の端部に貫通端子１６の外周形状に合わせて横断面が半円状の凹部を形成し、円弧面状の端面２１１ｂを形成することが好ましい。
【００７４】
また、放熱用チップ２１６の出力部は、図６に示すように、貫通孔２１６ａであってもよいし、図７に示すように、第１基板２１の端面２１１ｂに対応させて円弧面状の端面２１６ｂとしてもよい。
【００７５】
また、例えば、図８に示すように、第１基板２１からモータ部１０へ供給電力を出力する出力部は、放熱用チップ２１６に設けず、導体パターン２１２等の配線部に設けてもかまわない。
【００７６】
また、上記実施形態では、放熱用チップ２１６は、パワー素子２１４と電気的に接続していたが、これに限定するものではない。例えば、図９に示すように、導体パターン２１２と放熱用チップ２１６との間に絶縁放熱シート２４を介在させてもよい。
【００７７】
また、上記実施形態では、第１基板２１および第２基板２２は、ハウジング１の取付面１ｃの延面方向において並設されていたが、これに限定されるものではない。例えば、図１０に示すように、第１基板２１をハウジング１の取付面１ｃに取り付け、第２基板２２を第１基板２１の図示上方に積層配置して、第１基板２１と第２基板２２とを電気的に接続してもよい。
【００７８】
また、上記実施形態では、駆動回路部であるインバータ回路２０を、第１基板２１および第２基板２２の２枚の基板で構成していたが、これに限定されるものではない。インバータ回路２０は、３枚以上の基板で構成してもよいし、例えば、図１１に示すように、インバータ回路２０を、パワー素子２１４を内蔵した１枚の回路基板２１Ａで構成してもよい。
【００７９】
また、上記実施形態では、駆動回路部であるインバータ回路２０を構成する第１基板２１および第２基板２２を（上述した図１１に示した例では回路基板２１Ａを）、直接（絶縁放熱シート２４を介在させる場合も含む）ハウジング１の取付面１ｃに取り付けていたが、これに限定されるものではない。例えば、図１２に示すように、回路基板２１Ａとハウジング１の取付面１ｃとの間に介設され、回路基板２１Ａの熱をハウジング１へ伝えて放熱する放熱プレート部材としての例えばアルミニウム製のベースプレート２５を備えていてもよい。
【００８０】
そして、カバー部材であるインバータカバー４０とベースプレート２５とが例えば螺子止めにより締結されて、回路基板２１Ａ、ベースプレート２５、およびインバータカバー４０が一体に組み付けられた組付体をなしており、この組付体がハウジング１の取付面１ｃに装着されていてもよい。
【００８１】
これによると、電動圧縮機を製造する際に、回路基板２１Ａ、ベースプレート２５、およびインバータカバー４０を一体に組み付けた組付体をハウジング１に装着して、回路基板２１Ａ、ベースプレート２５、およびインバータカバー４０を一括してハウジングに組み付けることができる。すなわち、回路基板２１Ａ、ベースプレート２５、およびインバータカバー４０を電動圧縮機本体へ組み付ける組付単位としてカセット化することができる。
【００８２】
なお、ベースプレート２５およびインバータカバー４０とともに組付体を構成する基板は、２枚以上の基板を組み合わせ電気的に接合したものであってもかまわない。
【００８３】
また、上記実施形態では、駆動回路部であるインバータ回路２０は、モータ部１０の軸線方向（モータ部１０と圧縮機構３０とが並んだ方向）にほぼ平行なハウジング１の側面部に取り付けられていたが（所謂キャメルバックタイプの電動圧縮機であったが）、これに限定されるものではなく、ハウジング１の外面のうち内部を吸入冷媒が流通する部位に形成された取付面に取り付けられるものであればよい。例えば、モータ部１０の軸線方向における反圧縮機構側の面（図１図示右方側の面）に取り付けられるものであってもよい（所謂インラインタイプの電動圧縮機であってもよい）。
【符号の説明】
【００８４】
１  ハウジング
１ｃ  取付面
１０  モータ部（モータ）
１６  貫通端子
２０  インバータ回路（駆動回路部）
２１  第１基板
２２  第２基板
２４  絶縁放熱シート（絶縁シート部材）
２５  ベースプレート（放熱プレート部材）
３０  圧縮機構
４０  インバータカバー（カバー部材）
２１１  絶縁基材
２１４  パワー素子
２１６  放熱用チップ（伝熱部材）
２１６ａ  貫通孔（出力部）
２１６ｂ  端面（出力部）
【図１】
2011214432.tif 000003
【図２】
2011214432.tif 000004
【図３】
2011214432.tif 000005
【図４】
2011214432.tif 000006
【図５】
2011214432.tif 000007
【図６】
2011214432.tif 000008
【図７】
2011214432.tif 000009
【図８】
2011214432.tif 000010
【図９】
2011214432.tif 000011
【図１０】
2011214432.tif 000012
【図１１】
2011214432.tif 000013
【図１２】
2011214432.tif 000014